(57)【特許請求の範囲】
【請求項１】
侵襲型プローブ装置において、
被験者の体内に挿入するための遠方端を有する可撓性の長手プローブと、
前記遠方端に既知の関係を保って分離して固定される第１および第２の位置センサであって、これら位置センサの位置座標に応答する信号を発生する、位置センサと、
前記プローブの径方向の面の前記第１および第２の位置センサの間に設けられる少なくとも一個の接触センサであって、前記体内の面に対する前記径方向の面の接触に応答して信号を発生する、接触センサと、
前記位置応答信号を受け取り、この信号を処理して、前記第１および第２の位置センサの近傍にある前記プローブの部分の長さ方向に沿った複数の地点の位置を決定すると共に、前記接触応答信号を受け取り、この信号を処理して、前記少なくとも一個の接触センサの近傍にある前記プローブの部分が前記体内の面と接触しているかどうかを決定する、信号処理回路と、
を具備する、装置。
【請求項２】
請求項１に記載の装置において、
前記位置センサの少なくとも一方は、外部から印加される磁場に応答する信号を発生する少なくとも一個のコイルを具備する、装置。
【請求項３】
請求項１に記載の装置において、
前記信号処理回路は、前記位置センサの少なくとも一方の６次元的な位置座標と方位座標を定める、装置。
【請求項４】
請求項１に記載の装置において、
前記装置はさらに、曲げセンサを備える、装置。
【請求項５】
請求項１に記載の装置において、
前記少なくとも一個の接触センサは、圧力センサを含む、装置。
【請求項６】
請求項１に記載の装置において、
前記少なくとも一個の接触センサは、近接センサを含む、装置。
【請求項７】
請求項６に記載の装置において、
前記装置はさらに、前記プローブの部分の長さ方向に配置される生理センサを具備する、装置。
【請求項８】
請求項１に記載の装置において、
前記装置はさらに、前記プローブの部分の長さ方向に配置される融食装置を具備する、装置。
【請求項９】
請求項８に記載の装置において、
前記融食装置は、前記プローブの位置の長さ方向に沿って径方向に配置される少なくとも一個のＲＦ電極を含む、装置。
【請求項１０】
請求項９に記載の装置において、
前記少なくとも一個のＲＦ電極は、電極の軸方向の配列を含む、装置。
【請求項１１】
請求項１に記載の装置において、
前記位置センサの少なくとも一方は、外部から印加される磁場に応答する信号を発生する３個のほぼ直交する非同心円的なコイルを具備する、装置。
【発明の詳細な説明】
関連出願
本出願は、本出願人による米国仮特許出願第６０／０３４，７０３号および同第６０／０３４，７０４号（共に１９９７年１月３日出願）に基づく優先権を主張する。
産業上の利用分野
本発明は、心臓の診断・治療システム、特に心臓内面の地図づくり（マッピング）に用いる侵襲型の医療用プローブに関する。
発明の背景
位置感応型の心臓カテーテルは、業界で知られている。このようなカテーテルは、一般に経皮的に挿入され、一本またはそれ以上の主要な血管を通して押し進められ、心臓のいずれかの室に至る。カテーテル（典型的にはカテーテルの遠方端近くに）取り付けられる位置感応型の装置は、身体または心臓自身のいずれかに取り付けられる参照枠に対する装置（したがってカテーテル）の相対的な位置を特定するのに用いれられる信号を発生させる。この位置感応型装置は、能動型でも受動型でもよく、電気的、磁気的または超音波エネルギー、あるいは他の適当な形のエネルギーを発生乃至受け取ることによって操作される。
米国特許第５，３９１，１９９号は、カテーテルの遠方端に小型のセンサコイルを備えた位置感応型カテーテルを開示している。このコイルは、患者の体外に配置された磁場発生コイルによって発生し、外部から印加される磁場に応答して、電気信号を発生させる。電気信号は、コイルの位置を３次元座標で特定するために解析される。
本出願人による国際特許出願第ＷＯ  ９６／０５７６８号（１９９５年１月２４日出願）は、遠方端に複数の小型、好ましくは非同心円型のセンサコイルを固定した位置感応型カテーテルを開示している。上述の米国特許第５，３９１，１９９号と同様に、これらのコイルで、外部から印加される磁場に応答して発生された電気信号は、好ましい態様においては、コイルの位置と方位座標の、６次元的な要素を決定するために解析される。
多重位置検知装置は、例えば国際特許出願第ＰＣＴ／ＩＬ９７／００００９号にあるように、カテーテルの遠方端あるいはこれに隣接する既知の互いに固定された位置関係に置かれる。本出願は、１個またはそれ以上の位置センサが固定されるほぼ剛性の構造体を遠方端に有するカテーテルに関するものである。これらのセンサは、好ましくは心臓の電気活性のマッピングを行うべく、構造体の位置と方位を特定するために用いられる。構造体自体は、ほぼ剛性であるが、カテーテルの残りの部分は一般に可撓性で、位置センサも、カテーテルの構造体に近い部分については、座標情報は与えない。
ＰＣＴ国際公開第ＷＯ  ９５／０４９３８号は、小型磁場センサコイルとコイルの位置を遠隔的に特定する方法を開示している。このセンサコイルは、被検者の体内における可撓性内視鏡の空間的な配座（configuration）とその辿る道筋を、つぎの二つの方法のいずれかで特定するために用いられる：すなわち（１）コイルを、内視鏡の内腔、例えば内視鏡の生検チューブを通して進め、内視鏡を静止状態に保ちながらコイルの位置を外部から探知する方法と、（２）複数、好ましくは約１２本のコイルを、内視鏡に沿って配置し、全コイルの位置を特定する方法である。コイルの各位置を特定した各位置座標（単一のコイルを用いたとき）、あるいは全コイルの位置を特定した各位置座標（複数のコイルを用いたとき）は、被検者の腸内にある内視鏡の空間配座を補間によって再構成し、これによって腸の対応する空間配置を推定するために合体される。
腸の空間配座を推定する際の、この内視鏡の正確さは、比較的多数の位置測定装置および／またはコイルを備えることによって決まる。しかし、コイル（あるいは他のセンサ要素）を内視鏡の管腔を通して進めるのは時間がかかり、血管を通して進めなければならない心臓カテーテルのような細いプローブを用いるときは、物理的にも実用的ではない。一方、多数のコイルを用いるのは、カテーテルの重量とコストを嵩ませ、その可撓性を減少させる。
米国特許第５，０４２，４８６号は、カテーテルの先端にある電磁気的あるいは音響的送信機または受信機の位置を追跡することによって、被検者の体内、一般に血管内におけるカテーテルを位置を特定する方法を開示している。位置の読み取り値は、予め撮影しておいた血管のＸ線画像と照らし合わせる。この方法は、実用的であるが、カテーテルが血管、あるいはカテーテルの動きを拘束する狭い通路を区画する他の生理学的器官内を移動しているときにしか使えない。
ＰＣＴ国際公開第ＷＯ  ９２／０３０９０号は、プローブに沿って離隔した位置にそれぞれ取りつけた検知コイルを具備する内視鏡のような、プローブシステムを開示している。プローブの近傍にあるアンテナのアレー（配列）は、検知コイルに対応する電圧信号を生起させるために、交流の電気信号によって駆動される。これらの電圧信号は、コイルの三次元座標位置を特定するために解析される。プローブに沿った検出コイル対の間にある位置は、各コイルの座標位置から補間によって決定される。
発明の概要
本発明の目的は、被検者の体腔に挿入するための可撓性カテーテルであって、カテーテルの輪郭の曲線は、体腔の内面に適合し、体腔内でのカテーテルの進む道筋および／または位置は、カテーテルに固定されたセンサを使って特定されるカテーテルを提供することである。
本発明はまた、カテーテルの体内での行路を決定する方法を提供する。
本発明の一つの様相においては、カテーテルは、これまでのようにカテーテル封じ込めの役割を果たす管腔内だけを移動できるのではなく、カテーテルの行路は、３次元的に自由に動くことができる体腔内で決定される。
本発明のもう一つの目的は、心臓内部でのカテーテル遠方端の行路を決定する方法とともに、心臓の室内部の診断用マッピングおよび／または治療のために、被検者の心臓の室に挿入するカテーテルを提供することである。
本発明はさらに、カテーテルを使って心臓を治療する方法を提供することも目的とする。
本発明の好ましい態様においては、被検者の体腔に挿入するための遠方端を有する可撓性カテーテルは、前記遠方端に対する既知の関係およびセンサ相互の既知の関係を保って固定される第１および第２の位置センサを具備する。これら位置センサは、その位置座標に応答する信号を発生する。これらの位置に応答する信号は、被検者の体内において、カテーテルの長さ方向に沿った複数の地点の位置を決定するために、一緒に処理される。
最も好ましいのは、位置センサの少なくとも一個が、既に述べたＰＣＴ国際公開第ＷＯ  ９６／０５７６８号にあるような、このセンサの６次元の位置・方位座標の決定を可能にする、複数の磁界応答コイルを具備することである。位置センサのもう一方も、同じような複数のコイルを具備するのが好ましいが、上述の米国特許第５，３９１，１９９号にあるような単一のコイルでもよい。その他、センサの少なくとも一方の３次元位置座標と３次元方位座標をセンサの信号から定めることができる限り、電気センサ、磁気センサ、音響センサなど、業界で知られている適当な位置センサを用いることができる。第１および第２のセンサの座標は、第１および第２のセンサの近傍におけるカテーテルの長さ方向の複数の地点の位置を発見するために定められ、また以下に述べるように、互いに、そして第１および第２のセンサの間にあるカテーテルの部分の曲率に関係する既知の情報と組み合わされる。
本発明の好ましい態様においては、カテーテルは、体腔、例えば心臓の室に押し進められ、第１および第２の位置センサの間にあるカテーテルの部分は、体腔の内壁に押しつけられる。好ましくは、カテーテルが内壁に接触したかまたは十分近接していることを確認するため、カテーテルがその長さ方向に沿って、一個またはそれ以上の接触センサ、例えば業界で知られている圧力または近接センサを含むのがよい。第１および第２の位置センサの既知の座標は、ついで、カテーテルの曲率とカテーテルに沿った複数の地点の位置を決定するために、体腔内部の既知の位相的特徴と一緒に組み合わされる。この位相的特徴は、例えば予めあるいは同時に得られる超音波またはＸ線画像に基づいて、あるいは業界で知られている他の方法を使って知ることができる。好ましくは、カテーテルは、カテーテルの曲率を測定する際に、内壁の変形が最小と仮定できるよう、体腔の内壁に対して単位長さ当り均一な力を与えられるように構成するのがよい。
本発明のいくつかの好ましい態様においては、カテーテルは、近くでのカテーテルの曲げ半径に応答する信号を発生する一個またはそれ以上の曲げセンサを備える。この信号は、カテーテルの曲げ半径を測定するために処理される。これらの態様は、本出願人の米国仮特許出願第６０／０３４，７０３号に記載されている。こうして測定された曲率半径は、カテーテルに沿った複数の地点の位置を見出すのに用いられる。
本発明のいくつかの好ましい態様においては、カテーテルは、その長さ方向において離隔配置された複数の生理学的センサ、例えば電気生理学的センサ電極を備える。これらのセンサは、体腔内の位置の関数として生理学的活性のマップ（地図）を作成するのに用いるのが好ましい。
本発明のさらに好ましい態様においては、カテーテルは、その長さ方向における複数の地点のいくつかまたはその全てにおいて、治療装置を具備する。これら好ましい態様の一つにおいては、例えば治療装置は、位置センサと曲げセンサを用いてカテーテルを適切に配置することにより心内膜に対して所望の通路に沿って配置されるＲＦ融食電極を備える。このＲＦ融食電極は、その所望の通路に沿って心臓組織を融食するために作動される。この方法は、心房細動を緩和するとして業界で知られている「迷路手術」を含む、心臓内の種々の伝導欠損の治療方法に用いることができる。
このようなカテーテルを使う治療方法の前には、上述のカテーテルに取り付けた生理学的センサや業界で知られた画像化方法を使って、体腔内部、例えば心臓の室のマッピングを行う。位置センサと曲げセンサの読み取り値に基づいて決定されるカテーテルの体腔内での行路は、ついで、治療が所望の通路に沿って行われることを確実にするために、体腔のマップに整合される。
このような好ましい態様の一つにおいては、ＲＦ（高周波）融食電極も、組織の融食に使用されていないときは、電気生理学的センサ電極として働く。電極から受け取る信号は、好ましくは解析されて、上述の電気活性のマッピング、および／または融食（ablation）を行う前に電極が適切に配置されていることを確認するのに用いられる。
ここでは、本発明の好ましい態様は、二つの位置センサを用いたものについて説明するが、本発明の原理は、より多くの位置センサを有するカテーテルや他のプローブにも同様に適用されることは分かるであろう。しかし、そのようなセンサの数は、カテーテル、一般にはカテーテルの遠方端に隣接するカテーテルの部分の長さ方向に沿った複数の地点の測定において所望の正確さを得るのに必要な、最小限にとどめるのが好ましい。
また、ここで述べる好ましい態様は、カテーテル、特に心臓内カテーテルについてのものであるが、本発明の原理は、内視鏡など、他の型の可撓性医療用プローブにも同様に適用できることは分かるであろう。
そこで、本発明の好ましい態様によれば、侵襲型プローブ装置であって、
被検者の体内に挿入するための遠方端を有する可撓性の長手プローブと、
前記遠方端に既知の関係を保って固定される第１および第２の位置センサであって、これら位置センサの位置座標に応答する信号を発生する位置センサと、
プローブの径方向の面に設けられる少なくとも一個の接触センサであって、体内の面に前記径方向の面が接触するとこの接触に応答して信号を発生する接触センサと、
前記位置応答信号と接触応答信号を受け取り、これらの信号を処理して、前記第１および第２の位置センサの近傍にある前記プローブの部分の長さ方向に沿った複数の地点の位置を決定する信号処理回路を具備する装置が提供される。
また本発明の好ましい態様によれば、被検者の体内における長手可撓性プローブの行路を決定する方法であって、
前記プローブを、前記プローブの長さ方向の一部に沿って既知の位相特徴を有する被検者の体内の面と接触させる工程と、
前記プローブの第１および第２の地点の位置座標を発見する工程と、前記プローブの第１および第２の地点の位置座標を使って、前記プローブの一部の行路を、前記位相特徴に位置合わせする工程を含む方法が提供される。
さらに本発明の好ましい態様によれば、被検者の心臓における電気活性のマッピング方法であって、
長手で可撓性のプローブを前記心臓に挿入する工程と、
前記プローブの前記心臓内における行路を、上記の方法に従って決定する工程と、
前記プローブに隣接する心臓組織から発生する電気信号を受け取る工程を含む方法が提供される。
この他にも、本発明の好ましい態様によれば、被検者の心臓の侵襲的治療方法であって、
長手で可撓性のプローブを前記心臓に挿入する工程と、
前記プローブの前記心臓内における行路を、上記の方法に従って決定する工程と、
前記プローブに隣接する心臓組織を融食する工程を含む方法が提供される。
本発明は、添付の図面を参照した、以下の好ましい態様の詳細な説明により、十分に理解されるであろう。
【図面の簡単な説明】
図１は、本発明の好ましい態様に係る形状適合型カテーテルシステムの模式図である。
図２は、本発明の好ましい態様に係る、図１のカテーテルがヒトの心臓に挿入されたときの状態を示す、一部を断面にした模式図である。
好ましい態様の詳細な説明
さて、図１は、被検者の心臓に挿入される、本発明の好ましい態様に係る形状適合型カテーテル２０と、制御用コンソール２６に連結されるカテーテルの手前端２４を模式的に示す。
カテーテル２０は、その遠方端２２に隣接して、第１の位置検知要素２８を、またその手前側に第２の位置検知要素３０を備える。要素２８，３０は、これらの間に、カテーテル２０の遠方部４０を区画する。要素２８，３０のそれぞれは、ＰＣＴ国際公開第ＷＯ  ９６／０５７６８号に記載されているような、磁界発生器３２によって印加される磁場に応答する信号を発生させる、３個のほぼ直交する、非同心円的なコイルを具備するのが好ましい。これらの信号は、導線３４を介して、コンソール２６にある信号処理・計算回路３６に伝達される。なお、コンソール２６は、駆動信号と制御信号を発生器３２に送るのが好ましい。回路３６は、発生器３２に制御される参照の枠（Frame）との関連において、要素２８と３０の６次元的な、並進および方位に関する座標を決定するために、これも先のＰＣＴ国際公開第ＷＯ  ９６／０５７６８号に記載されているところにより、信号を解析する。
図２は、本発明の好ましい態様において、カテーテル２０を、ヒトの心臓６０の右心房６２に挿入した状態を模式的に示す。カテーテル２０の部分４０の曲率は、カテーテルの手前端から加えられる軸力に応答してカテーテルが当接させられる心房６２の内壁６４の曲率によって実質的に決定される。
内壁６４の形状と、壁６４に対するカテーテルの部分４０の望ましい行路は、カテーテル２０を心房６２に挿入するに先立って、知られているのが好ましい。これら形状と所望の行路は、超音波、Ｘ線あるいは他の画像化方法等、業界で知られた手段によって得られる心臓６０の画像から導出される。この他、上記形状と所望の行路は、ともに本出願人による上述のＰＣＴ出願第ＰＣＴ／ＩＬ９７／００００９号や米国特許出願第０８／４７６，２００号（１９９５年６月７日出願）にあるように、心臓６０の内部のマッピングや、あるいは業界で公知の他のマッピング方法によっても得ることができる。カテーテル２０の部分４０が心房の内壁６４と接する所望の行路に沿って整列しているかどうかを確認するために、要素２８と３０の３次元的な位置座標とこれら要素の少なくとも一方の３次元的な方位座標は、測定され、公知の形状と対照される。カテーテルの部分４０は、心房の内壁６４に対して単位長さ当りで均質な力が加わるように、十分に、また均質的に可撓性である。したがって、このカテーテルの部分４０の曲率を決定する上では、内壁６４の変形は、最小であることが仮定される。
図１に戻って、カテーテル２０は、圧力センサ７０と融食電極７２（図２においては図面を見やすくするため省略している）を備えるのが好ましい。圧力センサ７０の出力信号は、導線３４を介して、信号処理回路３６に送られ、ここでカテーテル２０がその部分４０の長さ方向に沿って内壁６４と接触しているかどうかを判断するため、解析される。もし全てのセンサ７０の出力信号が、カテーテルの部分４０と内壁６４の間にかかる力によって、各センサがほぼ均等な正圧を受けていることを示している場合には、カテーテルの部分４０は、既に述べたように予め測定してある内壁の形状に適合していることが推測できる。なお、圧力センサ７０の代わりに、近接センサや他の業界で公知のセンサも、用いることができる。カテーテル２０には、図１に示した３個のセンサ７０より多くのまたは少ない圧力センサあるいは他のセンサを配置したり、またはセンサを全く配置しないこともできることは分かるであろう。
融食電極７２は、内壁６４上の電極に隣接する一連の所望の場所を融食するため、外科医あるいは他のカテーテル２０のユーザの制御の下に、コンソール２６から、導線７４を介して、ＲＦエネルギーを受け取る。カテーテル２０に取り付ける融食電極７２の数は、図１に示した６個より多くても少なくても、あるいは全くなくてもよい。業界で知られている他の融食装置も用いることができる。
カテーテル２０上の圧力センサ７０と融食電極７２は、ある種の治療を行うには有用である。例えば、図１および図２に示したようなカテーテル２０は、心房細動（ＡＦ）の治療方法として業界で知られている「迷路(maze)」手術を行うのに用いることができる。本発明によれば、外科医は、ＡＦを生じさせる心臓組織の異常な伝導の道筋を遮断するために融食すべき行路（心房の内壁６４に沿った直線状あるいは非直線状のもの）を決定することができる。カテーテル２０は心臓６０に挿入され、そのカテーテルの部分４０は、上述のように、内壁６４と接しながら、この行路に沿って位置する。電極７２は、次いで、従来の迷路手術で得られるよりもはるかに速い速度と正確度をもって、全ての行路を同時に融食するために作動される。好ましくは、複数の行路を決定するのがよく、カテーテル２０の部分４０は、各行路を連続的に融食するために再配置された上で作動される。
本発明の他の好ましい態様においては、心臓組織内の電気活性のマッピングをするため、融食電極７２の代わりに、検知電極を用いる。そして、本発明の方法を用いて作られる心臓６０内部の地図（マップ）は、上述の「迷路」手術のような治療の手順を案内する役割をする。
より一般的にいうと、これまで本発明の好ましい態様を、二つの位置検知要素２８，３０について説明してきたが、用途によっては、カテーテル２０はこれ以上の位置センサおよび／または曲げセンサを備えるのが好ましいこともあることは理解されるであろう。このような追加的なセンサは、カテーテルの長さ方向の一部を、入り組んだ通路内で追跡しなければならないときや、カテーテルが体腔の入り組んだ面に押しつけられてこの形状に適合することが望まれるときに、特に有用である。しかし、そのようなセンサの数は、カテーテルの長さ方向に沿った複数の位置の測定において、所望の正確さを達成するのに必要な最小限に維持される。
さらに、本発明の他の好ましい態様においては、カテーテル２０の部分４０の曲率を測定するために、例えば上述の米国仮特許出願第６０／０３４，７０３号に記載されているような、他の装置や方法も用いられる。
上述の好ましい態様は、心臓内カテーテル２０についてのものであるが、本発明の原理は、他の型のカテーテルや、内視鏡のような他の可撓性医療用プローブにも同様に適当できる。
上述の好ましい態様は、あくまでも例として挙げたものであり、本発明の範囲は、以下の請求の範囲のみによって定められる。
〔実施の態様〕
１．侵襲型プローブ装置であって、
被検者の体内に挿入するための遠方端を有する可撓性の長手プローブと、
前記遠方端に既知の関係を保って固定される第１および第２の位置センサであって、これら位置センサの位置座標に応答する信号を発生する位置センサと、
プローブの径方向の面に設けられる少なくとも一個の接触センサであって、体内の面に前記径方向の面が接触するとこの接触に応答して信号を発生する接触センサと、
前記位置応答信号と接触応答信号を受け取り、これらの信号を処理して前記第１および第２の位置センサの近傍にある前記プローブの部分の長さ方向に沿った複数の地点の位置を決定する信号処理回路を具備する装置。
２．前記位置センサの少なくとも一方は、外部から印加される磁場に応答する信号を発生する少なくとも一個のコイルを具備する実施態様１に記載の装置。
３．前記信号処理回路は、前記位置センサの少なくとも一方の６次元的な位置座標と方位座標を定める実施態様１に記載の装置。
４．前記装置はさらに、曲げセンサを備える実施態様１に記載の装置。
５．前記少なくとも一個の接触センサは圧力センサを含む実施態様１に項記載の装置。
６．前記少なくとも一個の接触センサは近接センサを含む実施態様１に記載の装置。
７．前記装置はさらに、前記プローブの部分の長さ方向に配置される融食装置を具備する実施態様１乃至実施態様６のいずれか１項記載の装置。
８．前記融食装置は、前記プローブの位置に長さ方向に沿って径方向に配置される少なくとも一個のＲＦ電極を含む実施態様７に記載の装置。
９．前記少なくとも一個のＲＦ電極は、電極の軸方向の配列を含む実施態様８に記載の装置。
１０．前記装置はさらに、前記プローブの部分の長さ方向に配置される生理センサを具備する実施態様１乃至実施態様６のいずれか１項記載の装置。
１１．被検者の体内における長手可撓性プローブの行路を決定する方法であって、
前記プローブを、前記プローブの長さ方向の部分に沿って既知の位相特徴を有する被検者の体内の面と接触させる工程と、
前記プローブの第１および第２の地点の位置座標を発見する工程と、
前記プローブの第１および第２の地点の位置座標を使って、前記プローブの一部の行路を、前記位相特徴に位置合わせする工程を含む方法。
１２．前記方法はさらに、前記体内の面と接触した状態で、前記プローブの一部の長さ方向に沿った複数の地点の位置を測定する工程を含む実施態様１１に記載の方法。
１３．前記位置座標を発見する工程は、６次元の並進および方位座標を発見する工程を含む実施態様１１に記載の方法。
１４．前記プローブの一部の行路を前記位相特徴に位置合わせする工程は、前記プローブの曲げ角を測定する工程を含む実施態様１１に記載の方法。
１５．前記方法はさらに、前記プローブの一部の行路の位置合わせを確認するため、プローブによって体内の面に加えられる圧力を測定する工程を含む実施態様１１に記載の方法。
１６．前記方法はさらに、前記プローブの一部の行路の位置合わせを確認するため、プローブの長さ方向にある地点の近接を測定する工程を含む実施態様１１に記載の方法。
１７．前記プローブを体内の面と接触させる工程は、プローブを被検者の心臓の室の壁に接触させる工程を含み、前記プローブの行路を前記位相特徴に位置合わせする工程は、プローブの行路を前記壁の位相特徴に位置合わせする工程を含む実施態様１１乃至実施態様１６のいずれか１項記載の方法。
１８．被検者の心臓における電気活性のマッピング方法であって、
長手で可撓性のプローブを前記心臓に挿入する工程と、
前記プローブの前記心臓内における行路を、実施態様１７記載の方法に従って決定する工程と、
前記プローブに隣接する心臓組織から発生する電気信号を受け取る工程を含む方法。
１９．被検者の心臓の侵襲的治療方法であって、
長手で可撓性のプローブを前記心臓に挿入する工程と、
前記プローブの前記心臓内における行路を、実施態様１７に記載の方法に従って決定する工程と、
前記プローブに隣接する心臓組織を融食する工程を含む方法。
２０．前記心臓組織を融食する工程は、前記プローブの行路に沿って軸方向に並ぶ一連の箇所において組織を融食する工程を含む実施態様１９に記載の方法。
２１．前記プローブを心臓内の面の位相特徴に触れさせる工程は、前記プローブの一部を前記位相特徴に当てて、非直線形状に曲げる工程を含み、前記一連の箇所において組織を融食する工程は、前記プローブの曲げられた一部に沿って、相互に非直線的な方位を向いた箇所において組織を融食する工程を含む実施態様２０に記載の方法。
２２．前記方法は、前記プローブに隣接する心臓組織から電気信号を受け取る工程を含む実施態様１９に記載の方法。
２３．前記電気信号を受け取る工程は、前記プローブに隣接する心臓組織を融食するのに用いられる電極から信号を受け取る工程を含む実施態様２２に記載の方法。
【図１】
0003949729.tif 000002
【図２】
0003949729.tif 000003